(57)【要約】【課題】無線LAN AP/ルータに応用されるプリント・モノポール・スマート・アンテナを提供することを目的とする。【解決手段】該スマート・アンテナは、モノポール・アンテナと第１導体と第２導体と回路装置とを備えて成る。モノポール・アンテナは信号を受信・発信する。第１導体は第１ダイオードを含み、前記信号をガイド・反射する。第２導体は第２ダイオードを含み、前記信号をガイド・反射する。回路装置は指令を発生させ前記第１ダイオード及び前記第２ダイオードのＯＮ・ＯＦＦを切り換えることにより、パターンを変換することを特徴とする。【選択図】      図２
2009077398.tif 000002
【特許請求の範囲】
【請求項１】
平面である主アンテナと、入力端とを備えて成り、信号を受信・発信するモノポール・アンテナと、
第１ダイオードを含み、前記モノポール・アンテナの第１側に設置され、接地面に電気的に接続され、前記信号をガイド・反射する第１導体と、
第２ダイオードを含み、前記モノポール・アンテナの第２側に設置され、前記接地面に電気的に接続され、前記信号をガイド・反射する第２導体と、
前記第１導体及び前記第２導体に電気的に接続され、指令を発生させ前記第１ダイオード及び前記第２ダイオードを切り換える回路装置と、を備えて成り、
前記第１ダイオード及び前記第２ダイオードのＯＮ・ＯＦＦを切り換えることにより、パターンを変換することを特徴とするスマート・アンテナ。
【請求項２】
前記平面は少なくとも三つの辺長を有し、第１辺長及び第２辺長は前記平面でそれぞれ少なくとも一つのエッチングラインと接続され、第３辺長は前記接地面の水平線と平行し、前記エッチングラインの長さは前記第３辺長との距離が短縮することとともに延長し、それらの前記エッチングラインの間の距離は互いに一致し、
前記モノポール・アンテナの主路径の長さは前記信号の波長の二分の一であることを特徴とする請求項１記載のスマート・アンテナ。
【請求項３】
前記第１導体、第２導体の長さは前記信号の波長の０．１〜０．５倍であり、
前記モノポール・アンテナから前記第１導体までの距離は前記信号の波長の０．１〜０．５倍であり、
前記モノポール・アンテナから前記第２導体までの距離は前記信号の波長の０．１〜０．５倍であることを特徴とする請求項１記載のスマート・アンテナ。
【請求項４】
前記第１導体は第１誘導器を含み、前記第２導体は第２誘導器を含み、前記第１誘導器、第２誘導器はそれぞれ前記回路装置に電気的に接続され高周波特性のCut-offに達するようにし、
前記第１誘導器、第２誘導器の三分の一は前記接地面を重ね合わせ、前記第１誘導器、第２誘導器の端子は前記接地面に電気的に接続されることを特徴とする請求項１記載のスマート・アンテナ。
【請求項５】
前記第１導体、第２導体はそれぞれ矩形及び逆Ｌ形の一つであり、
前記モノポール・アンテナ、前記第１導体、第２導体は金属の材質からなることを特徴とする請求項１記載のスマート・アンテナ。
【請求項６】
逆三角形の平面である主アンテナと、入力端とを備えて成り、信号を受信・発信するモノポール・アンテナと、
第１ダイオードを含み、前記モノポール・アンテナの第１側に設置され、接地面に電気的に接続され、前記信号をガイド・反射する第１導体と、
第２ダイオードを含み、前記モノポール・アンテナの第２側に設置され、前記接地面に電気的に接続され、前記信号をガイド・反射する第２導体と、
前記第１導体及び前記第２導体に電気的に接続され、指令を発生させ前記第１ダイオード及び前記第２ダイオードを切り換える回路装置と、
前記接地面で水平に配置され、前記モノポール・アンテナ、前記第１導体、前記第２導体とそれぞれ垂直に配置され、前記モノポール・アンテナが受信・発信する前記信号の電流を集中する少なくとも一つの溝と、を備えて成り、
前記第１ダイオード及び前記第２ダイオードのＯＮ・ＯＦＦを切り換えることにより、パターンを変換することを特徴とするスマート・アンテナ。
【請求項７】
前記逆三角形の平面には、第１辺長及び第２辺長は前記平面でそれぞれ少なくとも一つのエッチングラインと接続され、第３辺長は前記接地面の水平線と平行し、それらの前記エッチングラインは前記第３辺長と平行し、前記エッチングラインの長さは前記第３辺長との距離が短縮することとともに延長し、それらの前記エッチングラインの間の距離は互いに一致し、
前記モノポール・アンテナの主路径の長さは前記信号の波長の二分の一であることを特徴とする請求項６記載のスマート・アンテナ。
【請求項８】
前記第１導体、第２導体の長さは前記信号の波長の０．１〜０．５倍であり、
前記モノポール・アンテナから前記第１導体までの距離は前記信号の波長の０．１〜０．５倍であり、
前記モノポール・アンテナから前記第２導体までの距離は前記信号の波長の０．１〜０．５倍であることを特徴とする請求項６記載のスマート・アンテナ。
【請求項９】
前記第１導体は第１誘導器を含み、前記第２導体は第２誘導器を含み、前記第１誘導器、第２誘導器はそれぞれ前記回路装置に電気的に接続され高周波特性のCut-offに達するようにし、
前記第１誘導器、第２誘導器の三分の一は前記接地面を重ね合わせ、前記第１誘導器、第２誘導器の端子は前記接地面に電気的に接続されることを特徴とする請求項６記載のスマート・アンテナ。
【請求項１０】
前記第１導体、第２導体はそれぞれ矩形及び逆Ｌ形の一つであり、
前記モノポール・アンテナ、前記第１導体、第２導体は金属の材質からなることを特徴とする請求項６記載のスマート・アンテナ。
【請求項１１】
スマート・アンテナの操作方法であり、前記スマート・アンテナはモノポール・アンテナ、第１導体、第２導体、及び回路装置を備えてなり、前記第１導体は第１ダイオードを含み、記第２導体は第２ダイオードを含み、前記操作方法は、
前記回路装置を制御し、前記第１ダイオードをＯＮ・ＯＦＦにし、同時に前記第２ダイオードをＯＮ・ＯＦＦにし、第１、第２、第３、第４パターンを獲得するステップを備えてなることを特徴とする操作方法。
【請求項１２】
前記第１、第２、第３、第４パターンは互いに任意の順序を有することを特徴とする請求項１１記載の操作方法。
【発明の詳細な説明】
【技術分野】
【０００１】
本発明はモノポール・スマート・アンテナに関し、特に無線LAN AP/ルータに応用されるプリント・モノポール・スマート・アンテナに関する。
【背景技術】
【０００２】
無線LAN AP/ルータに応用されるアンテナとして、一般にモノポール・アンテナ、ダイポール・アンテナ、チップ・アンテナ、あるいはヘリカル・アンテナなどがある。それらのアンテナはゲインが高くないので、通信距離が制限されることがある。アンテナのゲインを高くするために、方向性アンテナを用いることにより伝輸の距離を向上させる。
【０００３】
従来のスマート・アンテナは複数の方向性アンテナを用い、ソフトウェアを通じてダイオードを切り換え、アンテナの方向を選択し通信の伝輸を行う。しかしながら、それらの利用率が低く、ただ一つだけの方向に切り換えられる。即ち、アンテナは単一の方向に向かうパターンしか有さない。
【０００４】
八木アンテナを用いパターンを変換する技術もある。その欠点は、高周波数で操作しようと、電容器又は誘導器は小さくなり使用することができない。即ち、電容器又は誘導器を切り換える技術は周波数に制限される。ＳＰＤＴダイオードを用いる技術が二つの電圧の選択を要るため、回路の設計は複雑になり、コストは高くなる。しかも、ＳＰＤＴダイオードを用いる場合には、その挿入損失がピンダイオードより大きいので、アンテナのゲインは小さくなる。
【発明の開示】
【発明が解決しようとする課題】
【０００５】
本発明は、上記の問題に鑑みてなされたものであり、その目的は、従来のスマート・アンテナを改善し、無線LAN AP/ルータに応用されるプリント・モノポール・スマート・アンテナを提供することにある。
【課題を解決するための手段】
【０００６】
上記目的を達成するための本発明は、スマート・アンテナを提供することで上記課題を快適に解決する。該スマート・アンテナは、平面である主アンテナと、入力端とを備えて成り、信号を受信・発信するモノポール・アンテナと、第１ダイオードを含み、前記モノポール・アンテナの第１側に設置され、接地面に電気的に接続され、前記信号をガイド・反射する第１導体と、第２ダイオードを含み、前記モノポール・アンテナの第２側に設置され、前記接地面に電気的に接続され、前記信号をガイド・反射する第２導体と、前記第１導体及び前記第２導体に電気的に接続され、指令を発生させ前記第１ダイオード及び前記第２ダイオードを切り換える回路装置と、を備えて成り、前記第１ダイオード及び前記第２ダイオードのＯＮ・ＯＦＦを切り換えることにより、パターンを変換することを特徴とする。
【０００７】
上記目的を達成するための本発明はさらに、スマート・アンテナを提供することで上記課題を快適に解決する。該スマート・アンテナは、逆三角形の平面である主アンテナと、入力端とを備えて成り、信号を受信・発信するモノポール・アンテナと、第１ダイオードを含み、前記モノポール・アンテナの第１側に設置され、接地面に電気的に接続され、前記信号をガイド・反射する第１導体と、第２ダイオードを含み、前記モノポール・アンテナの第２側に設置され、前記接地面に電気的に接続され、前記信号をガイド・反射する第２導体と、前記第１導体及び前記第２導体に電気的に接続され、指令を発生させ前記第１ダイオード及び前記第２ダイオードを切り換える回路装置と、前記接地面で水平に配置され、前記モノポール・アンテナ、前記第１導体、前記第２導体とそれぞれ垂直に配置され、前記モノポール・アンテナが受信・発信する前記信号の電流を集中する少なくとも一つの溝と、を備えて成り、前記第１ダイオード及び前記第２ダイオードのＯＮ・ＯＦＦを切り換えることにより、パターンを変換することを特徴とする。
【０００８】
上記目的を達成するための本発明はさらに、スマート・アンテナの操作方法を提供することで上記課題を快適に解決する。該スマート・アンテナは、モノポール・アンテナ、第１導体、第２導体、及び回路装置を備えてなり、前記第１導体は第１ダイオードを含み、記第２導体は第２ダイオードを含み、前記操作方法は、前記回路装置を制御し、前記第１ダイオードをＯＮ・ＯＦＦにし、同時に前記第２ダイオードをＯＮ・ＯＦＦにし、第１、第２、第３、第４パターンを獲得するステップを備えてなることを特徴とする。
【発明の効果】
【０００９】
八木アンテナの導波器及び反射器の理論を用いる本発明は、異なる使用区域に基づいて、ソフトウェアでアンテナのパターンを切り換える。本発明による利点は、アンテナのパターンを高くし、パターンの範囲を拡大し、無線通信に応用されることができる。
【発明を実施するための最良の形態】
【００１０】
本願発明のその他の利点及び特徴については、以下に行う発明の実施の形態の説明から、より明らかとなるであろう。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００１１】
図１は、本発明による実施形態１のスマート・アンテナを示す構成図である。図１において、スマート・アンテナ１０はモノポール・アンテナ１０１、第１導体１０４、第２導体１０５、及び回路装置１０１１を含む。スマート・アンテナ１０はプリント配線基板にプリントされ、モノポール・アンテナ１０１、第１導体１０４、第２導体１０５は一般に金属の材質からなる。モノポール・アンテナ１０１は主アンテナ１０２と入力端１０３とを含み、主アンテナ１０２は配線基板の上層に配置され、モノポール・アンテナ１０１は信号を受信・発信する。第１導体１０４は第１ダイオード１０６を含み、第１導体１０４はモノポール・アンテナ１０１の第１側に設置され、第１導体１０４の端子は接地面１０１０に電気的に接続される。第２導体１０５は第２ダイオード１０７を含み、第２導体１０５はモノポール・アンテナ１０１の第２側に設置され、第２導体１０５の端子は接地面１０１０に電気的に接続される。第１導体１０４、第２導体１０５は八木アンテナの導波器及び反射器に似ている機能を発揮できる。すなわち、回路装置１０１１の制御作動によって、第１導体１０４も第２導体１０５も、信号をガイドする導波器、或いは信号を反射する反射器として作動する。回路装置１０１１はそれぞれ第１導体１０４、第２導体１０５と電気的に接続され、指令を発生させ第１ダイオード１０６及び第２ダイオード１０７のＯＮ・ＯＦＦを切り換えることによって、第１導体１０４、第２導体１０５に導波器又は反射器の機能を発揮させ、スマート・アンテナ１０のパターンが変わるようにする。第１ダイオード１０６、第２ダイオード１０７をＯＮにする際に、第１導体１０４、第２導体１０５は反射器として作動する。一方、第１ダイオード１０６、第２ダイオード１０７をＯＦＦにする際に、第１導体１０４、第２導体１０５は導波器として作動する。
【００１２】
図１において、モノポール・アンテナ１０１の主アンテナ１０２は配線基板の上層に配置され、平面である主アンテナ１０２は少なくとも三つの辺長を有する。第１辺長及び第２辺長は平面でそれぞれ少なくとも一つのエッチングライン１０２１と接続され、第３辺長は接地面１０１０の水平線と平行する。エッチングライン１０２１の長さは第３辺長との距離が短縮することとともに延長し、それらのエッチングライン１０２１の間の距離は互いに一致する。主アンテナ１０２は平面であるが、複数のエッチングライン１０２１を有した主アンテナ１０２はＳ形となり、モノポール・アンテナ１０１の等価な長さを増加し、導波器としての効果を向上させることができる。この実施形態１において、主アンテナ１０２の共振周波数が２．４５ＧＨｚとなると、主アンテナ１０２の主路径の長さは前記信号の波長の二分の一とし、第１導体１０４、第２導体１０５の長さは前記信号の波長の０．２倍とする。モノポール・アンテナ１０１から第１導体１０４、第２導体１０５まで、それぞれの距離は互いに等しく、前記信号の波長の０．１〜０．５倍であり、好ましく前記信号の波長の０．２倍である。さらに、第１導体１０４、第２導体１０５の三分の一は接地面１０１０を重ね合わせ、第１導体１０４、第２導体１０５の端子はそれぞれ接地面１０１０に電気的に接続される。第１導体１０４、第２導体１０５はそれぞれ矩形もしくは逆Ｌ形となっても、それらに限らない。要するに、スマート・アンテナ１０の等価な長さは共振長さに等しくなければ良い。
【００１３】
図１において、第１導体１０４は第１誘導器１０８を含み、第２導体１０５は第２誘導器１０９を含み、第１誘導器１０８、第２誘導器１０９はそれぞれ回路装置１０１１に電気的に接続され、高周波特性のCut-offに達するようにする。
【００１４】
図２は、本発明による実施形態２のスマート・アンテナを示す構成図である。図２において、スマート・アンテナ２０はモノポール・アンテナ２０１、第１導体２０４、第２導体２０５、及び回路装置２０１１を含む。スマート・アンテナ２０はプリント配線基板にプリントされ、モノポール・アンテナ２０１、第１導体２０４、第２導体２０５は一般に金属の材質からなる。モノポール・アンテナ２０１は主アンテナ２０２と入力端２０３とを含み、主アンテナ２０２は逆三角形の平面である。入力端２０３は接地面１０１０に電気的に接続され、モノポール・アンテナ２０１は信号を受信・発信する。第１導体２０４は第１ダイオード２０６を含み、第１導体２０４はモノポール・アンテナ２０１の第１側に設置され、第１導体２０４の端子は接地面２０１０に電気的に接続される。第２導体２０５は第２ダイオード２０７を含み、第２導体２０５はモノポール・アンテナ２０１の第２側に設置され、第２導体２０５の端子は接地面１０１０に電気的に接続される。実施形態１と同じ、第１導体２０４、第２導体２０５は八木アンテナの導波器及び反射器に似ている機能を発揮できる。すなわち、回路装置２０１１の制御作動によって、第１導体２０４も第２導体２０５も、信号をガイドする導波器、或いは信号を反射する反射器として作動する。
【００１５】
回路装置２０１１はそれぞれ第１導体２０４、第２導体２０５と電気的に接続され、指令を発生させ第１ダイオード２０６及び第２ダイオード２０７のＯＮ・ＯＦＦを切り換えることによって、第１導体２０４、第２導体２０５に導波器又は反射器の機能を発揮させ、スマート・アンテナ２０のパターンが変わるようにする。
【００１６】
図２において、モノポール・アンテナ２０１の主アンテナ２０２は逆三角形の平面である。主アンテナ２０２は三つの辺長を有する。第１辺長及び第２辺長は平面でそれぞれ少なくとも一つのエッチングライン２０２１と接続され、第３辺長は接地面２０１０の水平線と平行する。エッチングライン２０２１の長さは第３辺長との距離が短縮することとともに延長し、それらのエッチングライン２０２１の間の距離は互いに一致する。主アンテナ２０２は逆三角形の平面であるが、複数のエッチングライン２０２１を有した主アンテナ２０２はＳ形となり、モノポール・アンテナ２０１の等価な長さを増加し、導波器としての効果を向上させることができる。この実施形態２において、主アンテナ２０２の共振周波数が２．４５ＧＨｚとなると、主アンテナ２０２の主路径の長さは前記信号の波長の二分の一とし、第１導体２０４、第２導体２０５の長さは前記信号の波長の０．２倍とする。モノポール・アンテナ２０１から第１導体２０４、第２導体２０５まで、それぞれの距離は互いに等しく、前記信号の波長の０．１〜０．５倍であり、好ましく前記信号の波長の０．２倍である。さらに、第１導体２０４、第２導体２０５の三分の一はそれぞれ接地面２０１０に電気的に接続される。第１導体２０４、第２導体２０５はそれぞれ矩形もしくは逆Ｌ形となっても、それらに限らない。要するに、スマート・アンテナ２０の等価な長さは共振長さに等しくなければ良い。
【００１７】
図２において、第１導体２０４は第１誘導器２０８を含み、第２導体２０５は第２誘導器２０９を含み、第１誘導器２０８、第２誘導器２０９はそれぞれ回路装置２０１１に電気的に接続され、高周波特性のCut-offに達するようにする。
【００１８】
図２に示したスマート・アンテナ２０は図１に示したスマート・アンテナ１０との差別は、接地面２０１０に設置された溝２０１２である。その原因は、接地面２０１０の面積がスマート・アンテナ２０のゲインに影響をするのである。信号が主アンテナ２０２へ入力される際に、接地面２０１０には電流が発生し、その電流は接地もしくは等価な電容器を通じて第１導体２０４、第２導体２０５へ誘導される。アンテナのパターン、電流分布が接地面２０１０の幅に影響を与えられなく、電流を第１導体２０４、第２導体２０５へ集中し移動させるように、接地面２０１０に少なくとも一つの溝２０１２を設置する。それらの溝２０１２は水平に接地面２０１０に位置し、モノポール・アンテナ２０１と、第１導体２０４と、及び第２導体２０５とそれぞれ垂直し、モノポール・アンテナ２０１が受信・発信する信号の電流を集中する。したがって、接地面２０１０に溝２０１２を設置することによって、アンテナのゲインが接地面２０１０の面積に影響を与えられる問題を有効に解決することができる。
【００１９】
図２に示した実施形態２のスマート・アンテナに基づいて、本発明はスマート・アンテナの操作方法を提供した。該スマート・アンテナ２０は、モノポール・アンテナ２０１、第１導体２０４、第２導体２０５、及び回路装置２０１１を備えてなる。第１導体２０４は第１ダイオード２０６を含み、第２導体２０５は第２ダイオード２０７を含む。該操作方法は、回路装置２０１１を制御し、第１ダイオード２０６をＯＮ・ＯＦＦにし、同時に第２ダイオード２０７をＯＮ・ＯＦＦにし、第１、第２、第３、第４の四つのパターンを獲得するステップを備えてなることを特徴とする操作方法である。
【００２０】
図３を参照する。第１パターンを獲得するために、回路装置２０１１を制御し第１ダイオード２０６をＯＦＦにし、第１導体２０４を導波器とする。回路装置２０１１を制御する際に、同時に第２ダイオード２０７をＯＮにし、第２導体２０５を反射器とすることにより、第１パターンを発生させる。第２ダイオード２０７をＯＮにし、第２導体２０５が接地するようにする。鏡の原理によれば、第２導体２０５の等価な長さはモノポール・アンテナ２０１の等価な長さより長い。遂に、第２導体２０５は反射器とし、アンテナのパターンをモノポール・アンテナ２０１のほうへ押しつける。第１ダイオード２０６をＯＦＦにし、第１導体２０４は等価な長さで電容値を通じて接地する。第１導体２０４の等価な長さはモノポール・アンテナ２０１の等価な長さより短いので、第１導体２０４は導波器とし、第２導体２０５に押し付けられたパターンをモノポール・アンテナ２０１へガイドすることにより、アンテナのゲインを増加する。
【００２１】
要するに、第１導体２０４、第２導体２０５がそれぞれ接地面２０１０に接続された部分は、導波器とした第１導体２０４へ電容接地の特性を与える。モノポール・アンテナ２０１の主アンテナ２０２が放射する際に、導波器の共振によるゲインのほかに、接地面２０１１からの電流も導波器へカップリングされ、アンテナのゲインを増加できる。
【００２２】
図３は、本発明による実施形態２のスマート・アンテナの第１パターンの数値模擬図である。図３において、水平面（Ｘ−Ｙ平面）では、第１導体２０４とモノポール・アンテナ２０１との間にやや大きなパターンが発生し、アンテナのゲインは５ｄＢｉに増加する。
【００２３】
図４を参照する。第２パターンを獲得するために、回路装置２０１１を制御し第１ダイオード２０６をＯＮにし、第１導体２０４を反射器とする。回路装置２０１１を制御する際に、同時に第２ダイオード２０７をＯＦＦにし、第２導体２０５を導波器とすることにより、第２パターンを発生させる。同様に、第１導体２０４は反射器とし、アンテナのパターンをモノポール・アンテナ２０１のほうへ押しつける。一方、第２導体２０５は導波器とし、第１導体２０４に押し付けられたパターンをモノポール・アンテナ２０１へガイドすることにより、アンテナのゲインを増加する。
【００２４】
図４は、本発明による実施形態２のスマート・アンテナの第２パターンの数値模擬図である。図４において、水平面（Ｘ−Ｙ平面）では、第２導体２０５とモノポール・アンテナ２０１との間にやや大きなパターンが発生し、アンテナのゲインは５ｄＢｉに増加する。
【００２５】
図５を参照する。第３パターンを獲得するために、回路装置２０１１を制御し第１ダイオード２０６をＯＦＦにし、第１導体２０４を導波器とする。回路装置２０１１を制御する際に、同時に第２ダイオード２０７をＯＦＦにし、第２導体２０５を導波器とすることにより、第３パターンを発生させる。遂に、アンテナのパターンは第１導体２０４と第２導体２０５へガイドされ、アンテナのゲインを増加する。
【００２６】
図５は、本発明による実施形態２のスマート・アンテナの第３パターンの数値模擬図である。図５において、水平面（Ｘ−Ｙ平面）では、第１導体２０４とモノポール・アンテナ２０１との間にあるパターンも、第２導体２０５とモノポール・アンテナ２０１との間にあるパターンも、図３と図４に示したのより大きい。アンテナのゲインは１〜２．５ｄＢｉに増加する。
【００２７】
図６を参照する。第４パターンを獲得するために、回路装置２０１１を制御し第１ダイオード２０６をＯＮにし、反射器を形成する。回路装置２０１１を制御する際に、同時に第２ダイオード２０７をＯＮにし、反射器を形成することにより、第４パターンを発生させる。遂に、アンテナのパターンはモノポール・アンテナ２０１へガイドされ、アンテナのゲインを増加する。
【００２８】
図６は、本発明による実施形態２のスマート・アンテナの第４パターンの数値模擬図である。図６において、水平面（Ｘ−Ｙ平面）にあるパターンは図１〜図３に示した第１〜第３パターンより小さい。アンテナのゲインは３〜３．５ｄＢｉに増加する。
【００２９】
図７は、本発明による実施形態２のスマート・アンテナの周波数に対する反射損失(Return Loss)を示す図である。図７から見れば、アンテナの周波数が２００ＭＨｚとなると、最大のゲインは５ｄＢｉになることが分かる。
【００３０】
本発明によるスマート・アンテナの第１〜第４パターンは互いに任意の順序を有する。使用者の位置によっては、本発明によるスマート・アンテナが方向性アンテナの機能を発揮する効果に達する場合もある。本発明はさらに、複数のアンテナを配線基板上の複数の箇所にそれぞれ配置し、回路装置を制御することにより、全方向性の放射パターンを獲得できる。
【００３１】
本発明のによるスマート・アンテナは最上のパターンを有し、作用できる範囲を広くし、ゲインを高くし、無線LAN AP/ルータに応用されることができる。
【００３２】
上記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【図面の簡単な説明】
【００３３】
【図１】本発明による実施形態１のスマート・アンテナを示す構成図。
【図２】本発明による実施形態２のスマート・アンテナを示す構成図。
【図３】本発明による実施形態２のスマート・アンテナの第１パターンの数値模擬図。
【図４】本発明による実施形態２のスマート・アンテナの第２パターンの数値模擬図。
【図５】本発明による実施形態２のスマート・アンテナの第３パターンの数値模擬図。
【図６】本発明による実施形態２のスマート・アンテナの第４パターンの数値模擬図。
【図７】本発明による実施形態２のスマート・アンテナの周波数に対する反射損失(Return Loss)を示す図。
【符号の説明】
【００３４】
１０，２０…スマート・アンテナ、１０１，２０１…モノポール・アンテナ、１０２，２０２…主アンテナ、１０３，２０３…入力端、１０４，２０４…第１導体、１０５，２０５…第２導体、１０６，２０６…第１ダイオード、１０７，２０７…第２ダイオード、１０８，２０８…第１誘導器、１０９，２０９…第２誘導器、１０１０，２０１０…接地面、１０１１，２０１１…回路装置、１０２１，２０２１…エッチングライン、２０１２…溝
【図１】
2009077398.tif 000003
【図２】
2009077398.tif 000004
【図３】
2009077398.tif 000005
【図４】
2009077398.tif 000006
【図５】
2009077398.tif 000007
【図６】
2009077398.tif 000008
【図７】
2009077398.tif 000009